(57)【要約】      （修正有）【課題】見通しの効かない角の側方が見えるようにするため、自動車に取り付ける自動車用側方ミラーを提供する。【解決手段】一方の側面に鏡面を有するミラー部６Ａと、該ミラー部を自動車のボンネット５上に取り付けるための取付部６Ｂとで自動車用側方ミラー６を構成する。この自動車用側方ミラー６をボンネット５の前部の右側に取り付ければ、自動車の左側方の様子を見ることが出来る。同様の構造の自動車用側方ミラー７をボンネット５の前部の左側に取り付ければ、自動車の右側方の様子を見ることが出来る。【選択図】図１
0003162489.tif 000002
【実用新案登録請求の範囲】
【請求項１】
一方の側面に鏡面を有するミラー部と、
該ミラー部を自動車のボンネット上に取り付けるための取付部と
から構成されることを特徴とする自動車用側方ミラー。
【考案の詳細な説明】
【技術分野】
【０００１】
本考案は、見通しの効かない角の側方が見えるようにするため、自動車に取り付ける自動車用側方ミラーに関するものである。
【背景技術】
【０００２】
自動車には、運転者が走行の安全を確認するために、いろいろなミラーが取り付けられている。例えば一般的な乗用車においては、後方を確認するために、室内の運転席上方にルームミラーが取り付けられており、自動車の側面後方を確認するために、左右のドアのところの外部にそれぞれドアミラーが取り付けられている。
【先行技術文献】
【特許文献】
【０００３】
【特許文献１】特開２０１０−１０００７０号公報
【考案の概要】
【考案が解決しようとする課題】
【０００４】
（問題点）
従来の自動車では、見通しが効かない道路の角を曲がろうとする場合、安全を確認するためには、運転者が直接自分の目で見ることが出来るところまで、自動車を前進させなければならなかった。そのように前進させると、自動車のボンネットが相当前に出てしまい、他の自動車の通行を妨害するばかりか事故を起こしてしまう恐れもあった。
【０００５】
（問題点の説明）
図３は、従来の自動車での問題点を説明する図である。見通しが効かない道路としてＴ字路を例にとって示している。図３において、１は自動車、２は運転席、３，４はドアミラー、５はボンネット、９，１０は道路である。
道路９と道路１０が交わっているＴ字路において、自動車１が道路９から道路１０に進行しようとする場合、運転者としては道路１０の左右方向の安全を確認する必要がある。ところが、ドアミラー３，４はドアのところ（車両前部より相当後方のところ）に取付けられているので、これらで車両前部における左右方向の様子を見ることは出来ない（役に立たない）。従って、運転者の肉眼で直接見て確認する以外ない。
【０００６】
そこで運転席２の運転者は、姿勢を前のめりにしながら、図３の矢印Ａの如く右方をみて安全を確認し、矢印Ｂの如く左方をみて安全を確認することが出来る所まで、そろそろと自動車１を前進させざるを得ない。そのように前進させると、ボンネット５の殆どが道路１０内にせり出してしまい、道路１０を通行する他の自動車等の通行を妨害することとなり、事故を起こすもとにもなる。
本考案は、以上のような問題点を解決することを課題とするものである。
【課題を解決するための手段】
【０００７】
本考案では、一方の側面に鏡面を有するミラー部と、該ミラー部を自動車のボンネット上に取り付けるための取付部とから構成され、ボンネット前部上に取り付ければ、自動車の側方の様子を見ることが出来る自動車用側方ミラーを提供することとした。
【考案の効果】
【０００８】
本考案の自動車用側方ミラーによれば、見通しが効かない道路の角を曲がろうとする場合、自動車のボンネットを僅かに前進させるだけで、左右から他の自動車等が進行して来るかどうかを知ることが出来る。そのため、他の自動車等の通行を妨害することもないし、前進させたボンネットにより事故を起こすこともなくなるという効果を奏する。
【図面の簡単な説明】
【０００９】
【図１】本考案の自動車用側方ミラーを示す図
【図２】本考案の自動車用側方ミラーの使用状況を説明する図
【図３】従来の自動車での問題点を説明する図
【考案を実施するための形態】
【００１０】
以下、本考案の実施形態を図面に基づいて詳細に説明する。
図１は、本考案の自動車用側方ミラーを示す図である。符号は図３のものに対応し、６，７は自動車用側方ミラー、６Ａ，７Ａはミラー部、６Ｂ，７Ｂは取付部である。
図１（１）は自動車用側方ミラー６，７を取り付けた自動車全体を示している。自動車用側方ミラー６，７は自動車１のボンネット５の前部に取り付けられる。図１（２）はボンネット５の左側に取り付けられた自動車用側方ミラー７を示し、図１（３）はボンネット５の右側に取り付けられた自動車用側方ミラー６を示している。
【００１１】
自動車用側方ミラー６，７は同様の構造のものであるので、自動車用側方ミラー６を例にとって説明する。
自動車用側方ミラー６は、ミラー部６Ａと取付部６Ｂとから構成されている。ミラー部６Ａの一方の側面は、鏡面とされている。取付部６Ｂは、ミラー部６Ａをボンネット５に取り付けるための部分である。取り付ける手段としては、接着剤を用いたり、機械的部材（ねじ等）を用いたりすることが出来る。
【００１２】
取付部６Ｂの構造は、自動車用側方ミラー６をボンネット５に取り付ける際、ミラー部６Ａの鏡面がボンネット５に対してほぼ垂直となるよう取付けることが出来る構造とされる。例えば、平板状のプラスチック体の裏面に両面接着剤を貼り付け、表面にミラー部６Ａを平板に対して垂直に取付け得るようにした構造である。
ミラー部６Ａと取付部６Ｂとは、はじめは別体に製作して後で合体するようにしてもよいし、初めから両者を一体となるよう製作してもよい。
【００１３】
自動車用側方ミラー６，７は、ボンネット５に対してほぼ垂直となるよう取り付けられるが、鏡面の向きが固定されているタイプのものであってもよいし、向きが変えられるようにしたタイプ（ミラー部６Ａが取付部６Ｂに対して回動し、向きを変えることが出来る）のものであってもよい。
ボンネット５の右側前部に取り付けられた自動車用側方ミラー６は、左方向を見るのに使用され、ボンネット５の左側前部に取り付けられた自動車用側方ミラー７は、右方向を見るのに使用される。
【００１４】
図２は、本考案の自動車用側方ミラーの使用状況を説明する図であり、図３と同様、Ｔ字路の場合を例にとって示している。符号は図１，図３のものに対応している。
本考案の自動車用側方ミラーを搭載した自動車１では、ボンネット５の前部を僅かに道路１０内に前進させると、自動車用側方ミラー６には道路１０の左方向の景色が映り、自動車用側方ミラー７には道路１０の右方向の景色が映る。従って運転者は、自動車用側方ミラー７を介して矢印Ｃの如く道路１０の右方向を見て安全を確認し、自動車用側方ミラー６を介して矢印Ｄの如く道路１０の左方向を見て安全を確認することが可能となる。
ボンネット５の前部は僅かしか道路１０内にせり出していないから、道路１０を通行する他の自動車等の通行を妨害することがない。それゆえ、事故を起こす恐れもない。
【符号の説明】
【００１５】
１…自動車、２…運転席、３，４…ドアミラー、５…ボンネット、６，７…自動車用側方ミラー、６Ａ，７Ａ…ミラー部、６Ｂ，７Ｂ…取付部、９，１０…道路
【図１】
0003162489.tif 000003
【図２】
0003162489.tif 000004
【図３】
0003162489.tif 000005